(57)【特許請求の範囲】
【請求項１】
外函コアの中心に磁性体からなる略円筒状のガイドを固定し、ガイドの外周にコイルを卷回したコイルボビンの内周を圧入して固定し、ガイドの内部にプランジャを摺動自在に設け、ガイドの長さをプランジャのストロークより長く設定し、プランジャの端部のフランジの両面にバッフアプレートを設け、プランジャに外函コアを貫通して摺動するロッドを固定したことを特徴とする自動製氷装置の電磁装置。
【請求項２】
前記プランジャはガイドの内周の径とできる限り等しくなるように、両者の間隙ができる限り少なくなるように外径が設定され摺動自在に設けている請求項１記載の自動製氷装置の電磁装置。
【請求項３】
前記プランジャの端部にはフランジが形成され、フランジの外形はガイドの内周面よりは十分に大きく、コイルボビンの内周に対して摺動可能な大きさに設定されている請求項１または請求項２記載の自動製氷装置の電磁装置。
【発明の詳細な説明】
【０００１】
【発明の属する技術分野】
本発明は、冷蔵庫の自動製氷装置において、給水装置や製氷皿の氷を製氷皿から剥離するため等に用いる自動製氷装置の電磁装置に関する。
【０００２】
【従来の技術】
冷蔵庫の自動製氷装置においては、製氷皿の上方に設けた水タンクから製氷皿に至る水供給路に設けた弁を電磁装置により開放して製氷皿に定量の水を供給し、製氷皿でできた氷を貯氷容器に供給するため、製氷皿にを一部暖めて剥離しやすくした後、製氷皿を電磁装置でひっくり返し、製氷皿に未だ剥離していない氷を強制的に剥離するために、電磁装置により製氷皿に衝撃を与える等の操作のために電磁装置が使用されている。
【０００３】
このような電磁装置においては、冷蔵庫の所定の位置における狭い空間にこれらの電磁装置を収納しなければならないので小型でなければならず、また、これらの電磁装置は、いずれも長いストロークが要求されると共に、その作動力は低温状態でしかも氷を剥離するのに対応できるだけ強力でなければならない。
【０００４】
そのため、従来から、この電磁装置を小型で強力にするため、各種の技術が提案されており、例えば実開平６ー３１１１０号に示されるように、電磁コイルを巻回した中空のコイルボビン内に設ける非磁性材からなるプランジャチューブと前記コイルボビンとの間に、上下に分割した円筒状の補助磁極を設け、プランジャチューブの内部に、磁性材からなり端部に作動ロッドを固定したプランジャとこのプランジャと間隙をもって磁性材からなる吸引子とを固定すると共に、これらの部材の位置形状を調整することにより、電磁装置を小型で強力なものとしている。
【０００５】
上記のような従来の自動製氷装置の電磁装置においては、内部で摺動するプランジャは、プランジャチューブ内に配置されているため、プランジャチューブの外側のコイルボビンとの間、及びプランジャチューブ内側のプランジャとの間の各々にエアギャップを生じ、磁気抵抗が増大する構造となっている。特に、電磁装置を小型で強力なものにしようとした上記従来のものにおいては、プランジャチューブとコイルボビンとの間に上下に分割した円筒状の補助磁極を設けているため、更にエアギャップを生じることとなり、作動特性の向上はあるものの磁気抵抗の面からは電磁装置の効率が低下してしまう問題点があった。
【０００６】
したがって、本発明は、電磁装置におけるエアギャップを少なくして磁気抵抗を減少し、薄型で高荷重に対応でき、プランジャの作動リフトを大きくすることができる自動製氷装置の電磁装置を提供することを目的とする。
【０００７】
【課題を解決するための手段】
本発明は、上記課題を解決するため、外函コアの中心に磁性体からなる略円筒状のガイドを固定し、ガイドの外周にコイルを卷回したコイルボビンの内周を圧入して固定し、ガイドの内部にプランジャを摺動自在に設け、ガイドの長さをプランジャのストロークより長く設定し、プランジャの端部のフランジの両面にバッフアプレートを設け、プランジャに外函コアを貫通して摺動するロッドを固定した自動製氷装置の電磁装置に構成したものである。
【０００８】
本発明は上記のように構成したので、コイルに通電するとそれにより形成される磁束は、コイルを卷回したコイルボビンの内周とガイドとが圧入して固定されているので、両者間にエアギャップを生じることがなく、磁性体からなるガイドは強力に励磁される。また、この磁性体からなるガイドの内部に磁性体からなるプランジャを直接摺動自在に設けており、両者間にプランジャガイド等を用いていないので、プランジャガイド等を用いることによるエアギャップ等の磁気抵抗を生じることがなく、磁性体のガイドにより直接プランジャを励磁でき、強力な自動製氷装置の電磁装置となる。
【０００９】
【発明の実施の形態】
本発明の実施例を図面に沿って説明する。自動製氷装置の電磁装置１は、磁性体製の第１外函２と第２外函３とにより外函４が構成され、第１外函２の中心部には第１開口５が形成されており、第２外函３の中心部には第２開口６が形成されている。第２外函３に形成された第２開口６には、略円筒状で磁性体からなるガイド７の外周端部に形成された段部８が溶接等により強固に固定されており、ガイド７の外周面１０には、コイル１１を卷回したコイルボビン１２の円筒状内周面１３に圧入して固定されている。このコイルボビン１２の高さは、第１外函２と第２外函３からなる外函４の内側の高さと一致するように設定されており、コイルボビンに圧入されるガイド７の端部１４は、外函４の内部の高さの略半分程度に設定される。
【００１０】
略円筒状のガイド７の内部には、このガイド７の内周の径とできる限り等しくなるように、即ち両者の間隙ができる限り少なくなるように外径が設定されたプランジャ１５を摺動自在に設けており、このプランジャ１５の端部にはフランジ１６が形成されており、このフランジの外形はガイド７の内周面よりは十分に大きく、コイルボビン１２の内周に対して摺動可能な大きさに設定される。
【００１１】
プランジャの端面、即ちフランジ１６の一方の端面１７には弾性材からなる第１バッフアプレート１８を設けており、フランジ１６の他方の端面２０にも弾性材からなる第２バッフアプレート２１を設けている。それにより、図示のようにプランジャ１５がガイド７内に引き込まれている状態においては、プランジャ１５のフランジ１６の端面２０に設けた第２バッフアプレート２１が、ガイド７の端部１４に当接している。また、プランジャ１５がガイド７から突出したとき、前記第１バッフアプレート１８が第１外函２の内面と当接するようにされる。プランジャ１５が上記のようにガイド７から突出して、第１バッフアプレート１８が第１外函２の内周面と当接したとき、プランジャの他端がガイド７から抜けることがないように、ガイド７の長さをプランジャのストロークより長く設定している。
【００１２】
プランジャ１５の端部にはロッド２２が固定されており、ロッド２２は、第１外函２の第１開口５から摺動自在に突出し、その先端、またはロッドに固定した他の部材により自動製氷装置の各種部材を駆動可能としている。
【００１３】
上記のように構成した自動製氷装置の電磁装置の作動に際しては、最初コイル１１に通電していないときは、プランジャ１５とロッド２２の自重により、あるいはロッド等に設けた図示されないスプリングによりロッドが押し出された状態に保持されており、この時、第１バッフアプレート１８は第１外函２の内面と当接している。
【００１４】
この状態からコイル１に通電すると、コイルにより形成される磁力線により磁性体製の外函４と第２外函３に固定した磁性体製のガイド７、及びガイド７から離れている磁性体製のプランジャ１５を通して磁路が形成される。この磁路において、プランジャ１５は、ガイド７の内周の径とできる限り等しくなるように、両者の間隙ができる限り少なくなるように外径が設定され摺動自在に設けているので、両者間には間隙、即ちエアギャップを生じていないので、エアギャップによる磁気抵抗の増大が防止されている。また、ガイドの内周とプランジャ１５の外周間には非磁製材からなるプランジャガイド等を設けていないので、それによるエアギャップが生じることが防止される。
【００１５】
コイル１への通電により上記のような磁路が形成されるとき、ガイド７とプランジャ１５との対向面には正と負の異極が存在するので、両者は吸引作用を生じ、プランジャ１５はガイド７内に引き込まれる。この吸引作用は上記のように磁路中のエアギャップが極めて少ないので強力であり、自動製氷装置におけるタンクから製氷皿への水の供給路中の弁作動用電磁装置、製氷皿の反転作動用電磁装置、製氷皿から氷を落とすために衝撃を与えるための電磁装置等の電磁装置の作動を強力に、かつ確実に行うことができる。
【００１６】
この強力なプランジャ１５の吸引作用により、最終的にフランジ１６がガイド７の端部１４に当接しようとするとき、フランジ１６に設けた第２バッフアプレート２１が、ガイド７の端部にその弾性作用により緩衝されて当接し、衝撃音の発生を防止する。コイル１への通電を止めるとき、ロッド２２やプランジャ１５の自重により、あるいは図示されない戻しスプリングによりプランジャ１５がガイド７から突出する位置に戻ろうとするとき、プランジャ１５のフランジ１６が第１外函２の内側に当接しようとするとき、第１バッフアプレート１８が先に第１外函２の内側に当接するので、衝撃音の発生を防止することができる。プランジャガイドがこのように電磁装置が強力になり高荷重に対応できるので、全体として薄型の電磁装置とすることができ、冷蔵庫の限られたスペースに確実に収納することができる。
【００１７】
【発明の効果】
本発明は、上記のように構成したので、電磁装置におけるエアギャップを少なくして磁気抵抗を減少し、薄型で高荷重に対応でき、プランジャの作動リフトを大きくすることができる自動製氷装置の電磁装置を提供することができる。
【図面の簡単な説明】
【図１】本発明の実施例の自動製氷装置の電磁装置の断面図である。
【符号の説明】
１  電磁装置
２  第１外函
３  第２外函
４  外函
５  第１開口
６  第２開口
７  ガイド
８  段部
１０  外周面
１１  コイル
１２  コイルボビン
１３  円筒状内周面
１４  端部
１５  プランジャ
１６  フランジ
１７  端面
１８  第１バッフアプレート
２０  端面
２１  第２バッフアプレート
２２  ロッド
【図１】
0003567283.tif 000002